(57)【要約】【課題】  組み立てが容易であると共に、使用上の利便性や遊び方の多様性を大幅に向上させたゲーム性を有するスポーツ用具を提供する。【解決手段】  スポーツ用具は、周縁に設けられる複数の支持ロッド１１２が回転可能な支持盤１１１に環装される支持部材１１と、各支持ロッドの端部に固設されるネット１２とを有する支持フレーム１０と、支持フレームにおけるネットの前面に固設されており、プレート体２２１，２２２を組み合わせてなるフレーム本体２２を備え、組み合わされたプレート体の間に空間を有し、空間に面ファスナーによりターゲット板２３が固定されるターゲット部材２０と、底部位置決めフレーム３１及び縦方向支持フレーム３２を備え、該底部位置決めフレームはコ字形を呈し、その前部両端が前記支持フレームの底部に固定されると共に、該縦方向支持フレームが、各々、底部位置決めフレームとネットとの間に介設される位置決め座３０と、を有する。【選択図】  図２
0003134040.tif 000002
【実用新案登録請求の範囲】
【請求項１】
周縁に設けられる複数の支持ロッドを回転可能な支持盤が環装される支持部材と、該各支持ロッドの端部に固設されるネットとを有する支持フレームと、
前記支持フレームにおけるネットの前面に固設されると共に、プレート体を組み合わせてなるフレーム本体を備え、該組み合わされたプレート体の間に空間を有し、該空間に面ファスナーによりターゲット板が固定されるターゲット部材と、
底部位置決めフレーム及び縦方向支持フレームを備え、該底部位置決めフレームはコ字形を呈し、その前部両端が前記支持フレームの底部に固定されると共に、該縦方向支持フレームがそれぞれ、底部位置決めフレームとネットとの間に介設される位置決め座と、を有することを特徴とするゲーム性を有するスポーツ用具。
【請求項２】
前記支持盤の後側にネットを貫くフックが設けられることを特徴とする請求項１に記載のゲーム性を有するスポーツ用具。
【請求項３】
前記ネットの下段に収集用ネットが設けられ、該収集用ネットの上端と該ネットとの間に開口が形成されることを特徴とする請求項１に記載のゲーム性を有するスポーツ用具。
【請求項４】
前記ターゲット部材のフレーム本体は、互いに組み合わせて、該フレーム本体を格子状にに区画するための細長い扁平状の、縦方向プレート及び横方向プレートを有し、
該縦方向プレートは、その内部に挿脱可能な縦支持骨が設けられると共に、該横方向プレートは、その内部に挿脱可能な横支持骨が設けられることを特徴とする請求項１に記載のゲーム性を有するスポーツ用具。
【考案の詳細な説明】
【技術分野】
【０００１】
本考案は、特にトレーニングや教育、娯楽を目的としたゲーム性を有するスポーツ用具に関するものである。
【背景技術】
【０００２】
近年、児童だけでなく大人も楽しめるゲーム性を有するスポーツ用具が開発され、例えば、通称ストラックアウト（登録商標）がその１つである。そのスポーツ用具は、３ｘ３のます目を有するターゲット部材と、該ターゲット部材を支持する金属フレーム組とを備え、該ターゲット部材のます目にそれぞれ１〜９の数字が描かれたボードが嵌め込まれている。遊び方としては、前記１〜９の数字が描かれたそれぞれのます目めがけてボールを投げ込み、より沢山のボードを落とすことを競い合うゲーム性を有するスポーツである。このようなゲーム性を有するスポーツによれば、遊びながらトレーニングすることができるだけでなく、幼児向けの学習や、娯楽、教育活動にも使用することができる。
【考案の開示】
【考案が解決しようとする課題】
【０００３】
しかしながら、前記のような従来のスポーツ用具は、フレームの組み立てが複雑であるので、組み立てや分解収納が面倒であり、運搬も不便である。
【０００４】
更に、前記従来のスポーツ用具は、ターゲット部材において数字が描かれたボードしか用いていないことから、数字に纏わる遊びしかできないので、実用性に優れない。
【０００５】
そこで、案出されたのが本考案であって、組み立てが容易であると共に、ターゲット部材の多様性を改善することにより、従来より使用上の利便性や多様性を大幅に向上させたスポーツ用具を提供することを目的としている。
【課題を解決するための手段】
【０００６】
本願の請求項１の考案は、周縁に設けられる複数の支持ロッドを回転可能な支持盤が環装される支持部材と、該各支持ロッドの端部に固設されるネットとを有する支持フレームと、前記支持フレームにおけるネットの前面に固設されると共に、プレート体を組み合わせてなるフレーム本体を備え、該組み合わされたプレート体の間に空間を有し、該空間に面ファスナーによりターゲット板が固定されるターゲット部材と、底部位置決めフレーム及び縦方向支持フレームを備え、該底部位置決めフレームはコ字形を呈し、その前部両端が前記支持フレームの底部に固定されると共に、該縦方向支持フレームがそれぞれ、底部位置決めフレームとネットとの間に介設される位置決め座と、を有することを特徴とするゲーム性を有するスポーツ用具、を提供する。
【０００７】
本願の請求項２の考案は、前記支持盤の後側にネットを貫くフックが設けられることを特徴とする請求項１に記載のゲーム性を有するスポーツ用具、を提供する。
【０００８】
本願の請求項３の考案は、前記ネットの下段に収集用ネットが設けられ、該収集用ネットの上端と該ネットとの間に開口が形成されることを特徴とする請求項１に記載のゲーム性を有するスポーツ用具、を提供する。
【０００９】
本願の請求項４の考案は、前記ターゲット部材のフレーム本体は、互いに組み合わせて、該フレーム本体を格子状にに区画するための細長い扁平状の、縦方向プレート及び横方向プレートを有し、該縦方向プレートは、その内部に挿脱可能な縦支持骨が設けられると共に、該横方向プレートは、その内部に挿脱可能な横支持骨が設けられることを特徴とする請求項１に記載のゲーム性を有するスポーツ用具、を提供する。
【考案の効果】
【００１０】
本考案は上記の課題を解決するものであり、構造を単純にすることにより、組み立てを容易にすると共に、ターゲット部材の構造を改善し、多様性を向上させたので、実用性に優れたゲーム性を有するスポーツ用具を消費者に提供することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るゲーム性を有するスポーツ用具の斜視図であり、図２は本考案に係るゲーム性を有するスポーツ用具の分解斜視図であり、図３は本考案に係るゲーム性を有するスポーツ用具の背面図であり、図４は本考案に係るゲーム性を有するスポーツ用具のターゲット部材を示す分解斜視図であり、図５は本考案に係るゲーム性を有するスポーツ用具のターゲット部材を示す断面図であり、図６は本考案に係るゲーム性を有するスポーツ用具の支持フレームを示す斜視図であり、図７は本考案に係るゲーム性を有するスポーツ用具の一部背面斜視図であり、図８は本考案に係るゲーム性を有するスポーツ用具の側面図である。
【００１３】
図１及び図２に示すように、本考案に係るゲーム性を有するスポーツ用具は、支持フレーム（１０）と、ターゲット部材（２０）と、位置決め座（３０）とを備え、該支持フレーム（１０）は、長方形に組み立てられた外枠（符号なし）と、支持部材（１１）と、ネット（１２）と、収集用ネット（１３）と、位置決め部材（１４）とを有する。
【００１４】
さらに図２及び図３に示すように、前記支持部材（１１）は、円盤状の支持盤（１１１）と、該支持盤（１１１）の周縁に回動自在に設けられる複数の支持ロッド（１１２）と、フック（１１３）とを有し、該各支持ロッド（１１２）は、上述したように、一端が前記支持盤（１１１）の周縁に回動自在に設けられると共に、該他端が前記支持フレーム（１０）の外枠上に着脱可能に設けられ、該フック（１１３）は、支持盤（１１１）の背面に設けられる。
【００１５】
前記ネット（１２）は長方形を呈すると共に、網目状或いは網目構造ではない布からなっても良い。また、該ネット（１２）の周辺は、前記支持ロッド（１１２）の一端と結合され、前記支持盤（１１１）は、該ネット（１２）の中央に設置されると共に、前記フック（１１３）は、該ネット（１２）及び支持部材（１１）を貫いて、該支持部材（１１）の後側から突出する。この構成によれば、単に前記支持ロッド（１１２）の一端を前記支持フレーム（１０）の外枠から取り外し、該フック（１１３）を引くだけで、前記支持ロッド（１１２）及びネット（１２）を折畳むことができる。
【００１６】
前記収集用ネット（１３）は、前記ネット（１２）の下段における、支持フレーム（１０）の周囲に左右側及び底部のみが固定されることから、該収集用ネット（１３）の上側と該ネット（１２）との間に開口（１３１）が形成され、更に、該収集用ネット（１３）の上部外側に、前記開口（１３１）を開放状態に維持するためのロープ（１３２）が設けられる。
【００１７】
尚、前記位置決め部材（１４）は、ネット（１２）上に設けられるが、前記支持ロッド（１１２）の一端に設けられてもよく、また、その位置決め部材（１４）は掛止紐を用いてもよい。
【００１８】
また、前記ターゲット部材（２０）は、前記支持フレーム（１０）におけるネット（１２）の前面に固設されると共に、フレーム本体（２２）と、複数の掛止部材（２１）と、該フレーム本体（２２）に設けられるターゲット板（２３）とを有し、その内、各掛止部材（２１）は、一端が該ターゲット部材（２０）の周縁に結合され、該他端が前記位置決め部材（１４）に掛止されることにより、該ターゲット部材（２０）におけるフレーム本体（２２）が前記支持フレーム（１０）に固定される。更に、前記掛止部材（２１）の一端には、前記ターゲット部材（２０）の周縁との連結される連結紐（２１１）が設けられる。
尚、前記掛止部材（２１）の他端における、前記位置決め部材（１４）と対応する部分がフック状に形成されてもよい。
【００１９】
前記ターゲット部材（２０）のフレーム本体（２２）は、折り畳み可能な軟質材料からなると共に、縦方向プレート（２２１）と、横方向プレート（２２２）とを有し、その内、縦方向プレート（２２１）は、軟質材料からなると共に、細長い扁平状を呈し、該フレーム本体（２２）に縦方向に設けられ、更に該縦方向プレート（２２１）の内部に挿脱可能な縦支持骨（２２４）が設けられる。一方、該横方向プレート（２２２）は、細長い扁平状を呈し、前記フレーム本体（２２）に横方向に前記縦方向プレート（２２１）と組み合わせるように設けられることにより格子状に区画され、更に該横方向プレート（２２２）の内部に挿脱不能な横支持骨（２２３）が設けられる。
また、上述したように、該フレーム本体（２２）は、該縦方向プレート（２２１）と横方向プレート（２２２）により、格子状に複数のます目が形成され、該各ます目における該フレーム本体（２２）に面ファスナー（図示せず）が設けられる。
その上、前記縦方向プレート（２２１）は前記の通り、軟質材料からなるので、前記縦支持骨（２２４）を前記縦方向プレート（２２１）から抜き取ることにより、前記フレーム本体（２２）を縦方向に折り畳むことができる。
【００２０】
前記ターゲット板（２３）は、各ます目に対応する形状を呈するプレート体であって、該ターゲット板（２３）の前面と背面の少なくとも一方には、図形や数字、文字などが描かれると共に、前記フレーム本体（２２）の面ファスナーに接合するための面ファスナー（２３３）が設けられる。
更に図４及び図５に示すように、該ターゲット板（２３）は、前面と背面の少なくとも一方に、パターンボード（２３２）を着脱可能な取り付け部材（２３１）が設けられることから、異なるパターンが描かれた様々なボードと交換することができる。
【００２１】
更に図３及び図６に示すように、前記位置決め座（３０）は、支持フレーム（１０）の背面に設置されると共に、底部位置決めフレーム（３１）と、複数の縦方向支持フレーム（３２）とを有し、その内、底部位置決めフレーム（３１）は、該支持フレーム（１０）における外枠の底面に設けられると共に、該底部位置決めフレーム（３１）と該外枠との間に、両者を接合するための面ファスナー（図示せず）が設けられる。尚、両者の接合手段としては、前記面ファスナーではなく、他の接合部材を用いてもよい。
前記底部位置決めフレーム（３１）は、一端が支持フレーム（１０）における外枠の底面に固定され、その後側が延出する２つの底部ロッド（３１１）と、該２つの底部ロッド（３１１）を連結する連結ロッド（３１２）とからなり、更に該底部ロッド（３１１）又は該連結ロッド（３１２）の何れか一方の内部に、構造の強度を高めるための補強部材（３１３）が設けられることが好ましい。
前記縦方向支持フレーム（３２）は、ネット（１２）を固定するために、該ネット（１２）と底部位置決めフレーム（３１）の底部ロッド（３１１）との間に設置される。そして、前記縦方向支持フレーム（３２）の一端及びネット（１２）上に夫々面ファスナー（図示せず）が設けられ、通常該ネット（１２）と縦方向支持フレーム（３２）の一端とは面ファスナーにより接合されることが好ましいが、図７に示すように、該ネット（１２）上に、該縦方向支持フレーム（３２）の一端と対応する固定部材（１２１）が設けられる構成であってもよい。
一方、縦方向支持フレーム（３２）の底面と該底部位置決めフレーム（３１）の底部ロッド（３１１）上にも夫々面ファスナー（符号なし）が設けられ、通常該底部位置決めフレーム（３１）の底部ロッド（３１１）と縦方向支持フレーム（３２）の他端とは該面ファスナーにより接合されることが好ましいが、該底部位置決めフレーム（３１）の底部ロッド（３１１）上に、該縦方向支持フレーム（３２）の他端と対応する固定部材（図示せず）が設けられる構造であってもよい。
【００２２】
また、図１及び図８に示すように、本考案のゲーム性を有するスポーツ用具を組み立てる時は、前記支持フレーム（１０）を折畳まれている状態から展開し、前記位置決め座（３０）を支持フレーム（１０）の背面に取り付けてネット（１２）を固定すると共に、前記ターゲット部材（２０）を支持フレーム（１０）の前面に設置するだけで、容易に組み立て作業を行うことができる。
【００２３】
また、本考案のゲーム性を有するスポーツ用具を使用する時は、使用者はターゲット部材（２０）のターゲット板（２３）目掛けて投球するが、この時、ボールがターゲット板（２３）に的中するかしないかに関わらず、ボールはネット（１２）に阻止され、その後、開口（１３１）から収集用ネット（１３）に入る。
【産業上の利用可能性】
【００２４】
本考案は上記の構成を有し、構造が簡単であることから、組み立てや収納が容易であると共に、ターゲット部材を場合に応じて変更することにより、多様性が向上し、様々な遊び方ができるので、使用上の利便性や実用性に優れている。
【図面の簡単な説明】
【００２５】
【図１】本考案に係るゲーム性を有するスポーツ用具の斜視図である。
【図２】本考案に係るゲーム性を有するスポーツ用具の分解斜視図である。
【図３】本考案に係るゲーム性を有するスポーツ用具の背面図である。
【図４】本考案に係るゲーム性を有するスポーツ用具のターゲット部材を示す分解斜視図である。
【図５】本考案に係るゲーム性を有するスポーツ用具のターゲット部材を示す断面図である。
【図６】本考案に係るゲーム性を有するスポーツ用具の支持フレームを示す斜視図である。
【図７】本考案に係るゲーム性を有するスポーツ用具の一部背面斜視図である。
【図８】本考案に係るゲーム性を有するスポーツ用具の側面図である。
【符号の説明】
【００２６】
１０        支持フレーム
１１        支持部材
１１１      支持盤
１１２      支持ロッド
１１３      フック
１２        ネット
１２１      固定部材
１３        収集用ネット
１３１      開口
１３２      ロープ
１４        位置決め部材
２０        ターゲット部材
２１        掛止部材
２１１      連結紐
２２        フレーム本体
２２１      縦方向プレート
２２２      横方向プレート
２２３      横支持骨
２２４      縦支持骨
２３        ターゲット板
２３１      取り付け部材
２３２      パターンボード
２３３      面ファスナー
３０        位置決め座
３１        底部位置決めフレーム
３１１      底部ロッド
３１２      連結ロッド
３１３      補強部材
３２        縦方向支持フレーム
【図１】
0003134040.tif 000003
【図２】
0003134040.tif 000004
【図３】
0003134040.tif 000005
【図４】
0003134040.tif 000006
【図５】
0003134040.tif 000007
【図６】
0003134040.tif 000008
【図７】
0003134040.tif 000009
【図８】
0003134040.tif 000010